(57)【要約】【課題】  内層の密着を防ぎ内容物の流路を確保することが可能で、残液量を抑えることが可能な二重容器を提供する。【解決手段】  外層と内層とを有し、内層に収容される内容物の減少に伴って内層が収縮する二重容器である。内層内に長尺状の挿入部材が挿入されている。二重容器内に長尺状の挿入部材を挿入することで、内層同士の密着が防止され、吐出口に向う流路が確保される。その結果、底部付近の内容物も最後まで吐出することが可能になり、残液量が大幅に低減される。挿入部材の形態としては、長尺状の管状部材あるいは柱状部材である。【選択図】  図６
2020158181.tif 000002
【特許請求の範囲】
【請求項１】
外層と内層とを有し、内層に収容される内容物の減少に伴って前記内層が収縮する二重容器であって、
内層内に長尺状の挿入部材が挿入されていることを特徴とする二重容器。
【請求項２】
前記挿入部材は、固定されることなく内層内に挿入されていることを特徴とする請求項１記載の二重容器。
【請求項３】
前記挿入部材は管状部材であることを特徴とする請求項１または２記載の二重容器。
【請求項４】
前記管状部材は、壁面に所定の間隔で孔部が配列形成されていることを特徴とする請求項３記載の二重容器。
【請求項５】
前記挿入部材は柱状部材であることを特徴とする請求項１または２記載の二重容器。
【請求項６】
前記柱状部材は、断面Ｘ状であることを特徴とする請求項５記載の二重容器。
【請求項７】
ポンプ式の容器であることを特徴とする請求項１〜６のいずれか１項記載の二重容器。
【発明の詳細な説明】
【技術分野】
【０００１】
本発明は、内容物の吐出に伴って内層が収縮する二重容器に関するものであり、特に、残液量を低減することが可能な新規な二重容器に関するものである。
【背景技術】
【０００２】
従来、外層容器と内袋とを有し且つ内容物の減少に伴って内袋が収縮する容器本体と、外層容器と内袋の間の中間空間と容器本体の外部空間との間の空気の出入りを調節する逆止弁とを備える二重容器（いわゆる積層剥離容器）が知られている（例えば、特許文献１〜２参照）。
【０００３】
特許文献１に開示される積層剥離容器では、容器本体の口部に取り付けるキャップに弁が内蔵されている。特許文献２に開示される積層剥離容器では、外殻の胴部の内側に弁が設けられている。
【先行技術文献】
【特許文献】
【０００４】
【特許文献１】特開２０１３−３５５５７号公報
【特許文献２】特開平４−２６７７２７号公報
【発明の概要】
【発明が解決しようとする課題】
【０００５】
ところで、この種の二重容器は、使用していくにつれて内層（内袋）が萎み易くなる傾向にあり、残液量が少なくなると内層が密着する傾向にある。内層が密着してしまうと、それよりも下側にある内容物は押し出され難くなり、残液量が多くなってしまうという課題がある。
【０００６】
本発明は、このような従来の事情に鑑みてなされたものであり、内層の密着を防ぎ内容物の流路を確保することが可能で、残液量を抑えることが可能な二重容器を提供することを目的とする。
【課題を解決するための手段】
【０００７】
前述の目的を達成するために、本発明の二重容器は、外層と内層とを有し、内層に収容される内容物の減少に伴って前記内層が収縮する二重容器であって、内層内に長尺状の挿入部材が挿入されていることを特徴とする。
【０００８】
二重容器内に長尺状の挿入部材を挿入することで、内層同士の密着が防止され、吐出口に向う流路が確保される。その結果、底部付近の内容物も最後まで吐出することが可能になり、残液量が大幅に低減される。
【発明の効果】
【０００９】
本発明によれば、内層の密着を防ぎ内容物の流路を確保することが可能で、残液量を抑えることが可能な二重容器を提供することが可能である。
【図面の簡単な説明】
【００１０】
【図１】二重容器の容器本体の概略斜視図である。
【図２】容器本体の要部概略断面図である。
【図３】外層と内層の層構成を示す概略断面図である。
【図４】二重容器へのポンプの取り付け状態を示す要部分解斜視図である。
【図５】二重容器へのポンプの取り付け状態を示す要部概略断面図である。
【図６】挿入部材の形状例を示すものであり、（Ａ）は管状の挿入部材、（Ｂ）は壁面に孔部を有する管状の挿入部材、（Ｃ）は断面Ｘ状の柱状挿入部材を示す。
【図７】内層（内袋）が収縮した状態を示す横断面図である。
【図８】スクイズ方式の二重容器に挿入部材を挿入した状態を示す図である。
【発明を実施するための形態】
【００１１】
以下、本発明を適用した二重容器の実施形態について図面を参照して説明する。
【００１２】
図１乃び図２に示すように、本実施形態の二重容器１は、容器本体２を主体とするものであり、容器本体２は、内容物を収容する収容部３と、収容部３から内容物を吐出する口部４を備えている。
【００１３】
本実施形態の二重容器１は、いわゆる積層剥離容器であり、図２に示すように、容器本体２は、収容部３及び口部４において、外殻である外層１１と内袋である内層１２を備えており、内容物の減少に伴って内層１２が収縮する。
【００１４】
外層１１と内層１２は、例えば多層パリソンとしてブロー成形に供され、一体に接合された状態で成形されるが、その使用形態としては、例えば使用前に口部４を除いて予め外層１１から内層１２を剥離しておき、内層１２が外層１１に接するまで内容物を充填する。内容物を押し出すことで、円滑に内層１２が収縮する。あるいは、内層１２が外層１１に接合された状態のままとし、内容物の排出に伴って内層１２が外層１１から剥離して収縮するようにしてもよい。
【００１５】
容器本体２の層構成についてさらに説明すると、容器本体２は、前記の通り、外層１１と内層１２を備え、外層１１は、復元性が高くなるように、内層１２よりも肉厚に形成されている。
【００１６】
外層１１は、例えば、低密度ポリエチレン、直鎖状低密度ポリエチレン、高密度ポリエチレン、ポリプロピレン、エチレン−プロピレン共重合体及びその混合物などで構成される。外層１１は、単層又は複数層構成であり、その最内層と最外層の少なくとも一方に滑剤を含有することが好ましい。外層１１が単層構成の場合、その単層が最内層であり且つ最外層であるので、その層に滑剤を含有させればよい。外層１１が２層構成の場合、容器内面側の層が最内層となり、容器外面側の層が最外層となるので、その少なくとも一方に滑剤を含有させればよい。外層１１が３層以上で構成される場合、最も容器内面側の層が最内層であり、最も容器外面側の層が最外層となる。
【００１７】
外層１１は、図３に示すように、最内層１１ｂと最外層１１ａの間にリプロ層１１ｃを備えることが好ましい。リプロ層とは、容器の成形時に発生するバリをリサイクルして使用した層をいう。外層１１が複数層構成の場合、その最内層と最外層の両方に滑剤を含有することが好ましい。
【００１８】
滑剤としては、一般に滑剤として市販されているものを使用することができ、炭化水素系、脂肪酸系、脂肪族アマイド系、金属石鹸系の何れであってもよく、２種以上を併用してもよい。炭化水素系滑剤としては、流動パラフィン、パラフィンワックス、合成ポリエチレンワックス等が挙げられる。脂肪酸系滑剤としては、ステアリン酸やステアリルアルコール等が挙げられる。脂肪族アマイド系滑剤としては、ステアリン酸アミド、オレイン酸アミド、エルカ酸アミド等の脂肪酸アミドや、メチレンビスステアリン酸アミド、エチレンビスステアリン酸アミド等のアルキレン脂肪酸アミドなどが挙げられる。金属石鹸系滑剤としては、ステアリン酸金属塩等が挙げられる。
【００１９】
外層１１の最内層は、内層１２に接触する層であり、外層１１の最内層に滑剤を含有させることによって外層１１と内層１２の間の剥離性を向上させることができる。一方、外層１１の最外層は、ブロー成形の際に金型に接触する層であり、外層１１の最外層に滑剤を含有させることによって離型性を向上させることができる。
【００２０】
外層１１の最内層と最外層の一方又は両方は、プロピレンと別のモノマーとの間のランダム共重合体で形成することができる。これによって、外殻である外層１１の形状復元性・透明性・耐熱性を向上させることができる。
【００２１】
なお、容器が過度に硬いと、容器の使用感が悪くなるため、ランダム共重合体に、例えば、直鎖状低密度ポリエチレンなどの柔軟材料を混合して外層１１を構成してもよい。ただし、ランダム共重合体に対して混合する材料は、ランダム共重合体の有効な特性を大きく阻害することのないよう、混合物全体に対して５０重量％未満となるように混合することが好ましい。例えば、ランダム共重合体と直鎖状低密度ポリエチレンとを８５：１５の重量割合で混合した材料により外層１１を構成することができる。
【００２２】
内層１２は、例えば図３に示すように、容器外面側に設けられたＥＶＯＨ層１２ａと、ＥＶＯＨ層１２ａの容器内面側に設けられた内面層１２ｂと、ＥＶＯＨ層１２ａと内面層１２ｂの間に設けられた接着層１２ｃを備える。ＥＶＯＨ層１２ａを設けることで、ガスバリア性、及び外層１１からの剥離性を向上させることができる。
【００２３】
ＥＶＯＨ層１２ａは、エチレン−ビニルアルコール共重合体（ＥＶＯＨ）樹脂からなる層であり、エチレンと酢酸ビニル共重合物の加水分解により得られる。ＥＶＯＨ樹脂のエチレン含有量は、例えば２５〜５０ｍｏｌ％であり、酸素バリア性の観点から３２ｍｏｌ％以下が好ましい。エチレン含有量の下限は、特に規定されないが、エチレン含有量が少ないほどＥＶＯＨ層１２ａの柔軟性が低下しやすいので２５ｍｏｌ％以上が好ましい。また、ＥＶＯＨ層１２ａは、酸素吸収剤を含有することが好ましい。酸素吸収剤をＥＶＯＨ層１２ａに含有させることにより、ＥＶＯＨ層１２ａの酸素バリア性をさらに向上させることができる。
【００２４】
内面層１２ｂは、二重容器１の内容物に接触する層であり、例えば、低密度ポリエチレン、直鎖状低密度ポリエチレン、高密度ポリエチレン、ポリプロピレン、エチレン−プロピレン共重合体及びその混合物などのポリオレフィンからなり、低密度ポリエチレン又は直鎖状低密度ポリエチレンからなることが好ましい。内面層１２ｂを構成する樹脂の引張弾性率は、５０〜３００ＭＰａが好ましく、７０〜２００ＭＰａが好ましい。引張弾性率がこのような範囲の場合に、内面層１３ｂが特に柔軟であるからである。
【００２５】
接着層１２ｃは、ＥＶＯＨ層１２ａと内面層１２ｂとを接着する機能を有する層であり、例えば上述したポリオレフィンにカルボキシル基を導入した酸変性ポリオレフィン（例：無水マレイン酸変性ポリエチレン）を添加したものや、エチレン酢酸ビニル共重合体（ＥＶＡ）である。接着層１２ｃの一例は、低密度ポリエチレン又は直鎖状低密度ポリエチレンと、酸変性ポリエチレンの混合物である。
【００２６】
以上が外層１１及び内層１２の層構成であるが、二重容器１は、さらに図１及び図２に示すように、収容部３の肩部において外層１１に凹部７ａが形成され、ここに大気導入孔１５が穿設されている。大気導入孔１５は、外層１１にのみ設けられた貫通孔であり、内層１２には到達していない。そして、この大気導入孔１５から空気が導入されることで、外殻である外層１１と内層１２の間に中間空間２１が形成される。すなわち、中間空間２１と外部空間は、この大気導入孔１５によって互いに連通されることになる。
【００２７】
大気導入孔１５には、弁部材５が設けられており、弁部材５は、外気導入孔１５に挿通され且つ外気導入孔１５に対してスライド移動可能な軸部５ａと、軸部５ａの中間空間２１側に設けられ且つ軸部５ａよりも断面積が大きい蓋部５ｃと、軸部５ａの外部空間Ｓ側に設けられ且つ弁部材５が中間空間２１に入り込むことを防ぐ係止部５ｂを備える。
【００２８】
なお、本例では大気導入孔１５を容器本体２の肩部に設けたが、大気導入孔１５の形成位置は任意であり、例えば口部４に設けてもよい。あるいは、底部のピンチ部において外層１１と内層１２を剥離し、ここを大気導入孔として利用することも可能である。
【００２９】
また、外層１１と内層１２からなる二重容器１では、例えば帯状の接着層（接着帯）を上下方向に設け、外層１１と内層１２をこの接着帯で接着固定することがあるが、本実施形態の二重容器１では、このような接着帯は設けられていない。
【００３０】
以上のような構成の二重容器１において、例えばポンプ式の二重容器においては、その口部４にポンプが取り付けられる。図４及び図５は、容器本体２の口部４へのポンプ５０の取り付けを示すものである。ポンプ５０は、押圧操作するためのノズル部５１、容器本体２への取り付け部５２、容器本体２内に挿入される吸引パイプ５３とから構成され、容器本体２の口部４に対してねじ込み方式により装着され、且つパッキン６０を介して装着される。パッキン６０を介在させることにより、密閉性が確保される。
【００３１】
本実施形態の二重容器１では、前記ポンプ５０を装着する前に、容器本体２の内層（内袋）１２内に長尺状の挿入部材７０を挿入し、内容物の吐出に伴う内層（内袋）１２の密着を防止し、流路を確保するようにしている。
【００３２】
挿入部材７０は、本例の場合、図６（Ａ）に示すようなストロー状の管状部材であり、これを固定することなく容器本体１の内層（内袋）１２内に挿入する。挿入部材７０を挿入することにより、前記の通り流路が確保され、内層１２内の内容物を最後まで吐出させることができ、残液量が大幅に低減される。
【００３３】
図７は、内層（内袋）１２が収縮した状態を示す図であり、内層１２が収縮した場合にも、挿入部材７０が中に挿入されているため、内層１２の密着が抑制され、また挿入部材７０の内部も流路として機能することから、内容物の流路が確保され、残液量が抑えられる。
【００３４】
なお、前記挿入部材７０の機能を考えた場合、挿入部材７０は弾性のある材質（例えばシリコンゴム等）で形成されていることが好ましい。挿入部材７０がストロー状の管状部材である場合、挿入部材７０の内部にも内容物が入り込むが、弾性を有する材料で形成すれば、挿入部材７０が潰れて内部の内容物も速やかに吐出させることができる。
【００３５】
また、挿入部材７０の形態についても任意であり、図６（Ａ）に示すようなストロー状の管状部材の他、種々の形態を採用することが可能である。例えば、図６（Ｂ）に示すように、挿入部材７０をストロー状の管状部材とし、その壁面に所定の間隔で孔部７１を配列形成してもよい。このように孔部７１を設けることで、挿入部材７０の中に入り込んだ内容物を円滑に排出させることが可能になる。
【００３６】
図６（Ｃ）は、柱状の挿入部材７０の一例であり、本例の場合、２枚の板状部７２，７３をクロスさせた形態を有している。断面形状はＸ状である。挿入部材７０を柱状とすることで、内容物の入り込むを無くすことができる。また、２枚の板状部７２，７３をクロスさせて断面をＸ状とすることで、流路を十分に確保することが可能となる。
【００３７】
挿入部材７０の長さは任意であるが、例えば容器本体２の高さの５０％〜９０％程度とすることが好ましい。挿入部材７０の長さが短すぎると底部の内容物を円滑に吐出させることが難しくなるおそれがある。逆に、挿入部材７０の長さが長すぎると、他の部材と干渉するおそれがある。
【００３８】
以上、本発明を適用した実施形態について説明してきたが、本発明がこの実施形態に限定されるものではなく、本発明の要旨を逸脱しない範囲で、種々の変更が可能であることは言うまでもない。
【００３９】
例えば、適用される二重容器はポンプ式に限らず、いわゆるスクイズ式の二重容器等についても適用可能である。
【００４０】
図８は、スクイズ式の二重容器への適用例を示すものである。スクイズ式の二重容器８０は、容器本体８１と、口部に装着されるキャップ８２とから構成される。容器本体８１は、先の実施形態と同様、外層と内層（内袋）が剥離可能に積層されている。
【００４１】
スクイズ式の二重容器８０においては、マヨネーズやケチャップ等、粘稠物が内容物として収容されることがあるが、底部に残液量が多くなってしまう傾向にある。そこで、スクイズ式の二重容器８０においても、容器本体（内層）の中に挿入部材７０を挿入することで、内層の密着を防止し、流路を確保することができ、残液量を減らすことが可能となる。
【符号の説明】
【００４２】
１  二重容器
２  容器本体
３  収容部
４  口部
５  弁部材
１１  外層
１２  内層（内袋）
１５  外気導入孔
７０  挿入部材
【図１】
2020158181.tif 000003
【図２】
2020158181.tif 000004
【図３】
2020158181.tif 000005
【図４】
2020158181.tif 000006
【図５】
2020158181.tif 000007
【図６】
2020158181.tif 000008
【図７】
2020158181.tif 000009
【図８】
2020158181.tif 000010